(57)【要約】【課題】  奥が深く入り口が狭い所に入るブラシがなく、深さに合わせブラシ材の長さを変えられたり、ブラシ材の幅まで変えられる物が無く、掃除する所の材質、汚れに応じてブラシ材を入れ替えることが出来、入り口に傷を付けずに掃除が出来るブラシ構造体を提供する。【解決手段】  筒状１のＣ部の両面又は片面を切り取り、筒状１の外径より小さく弾力性のあるカバー４で全体を覆い、中空にブラシ材２を入れ左右に移動でき、Ｃ部から露出しているブラシ材２を把持し押さえるか、固定部を設ける。ブラシ材２は一本又は全体を入れ替えることが出来、色々なブラシ材とも交換することが出来る。図４筒状１のＨ部を平たく潰しラッパー状にすることで、ブラシ材２が幅広くなり、もう一方Ｇ部に角度を付けてあり、手をぶつけずにすみ両側でブラシとして使える。【選択図】図４
2020163087.tif 000002
【特許請求の範囲】
【請求項１】
パイプ（１）の途中（Ｃ）部を切り取り、内径の中にブラシ材（２）を適度な抵抗があるくらい入れ、ブラシ材（２）をパイプ（１）左右どちらかで、掃除する場所の深さに合わせ引き出し長さを調整することが出来、中央付近（Ｃ）部から露出しているブラシ材（２）を握り指で押さえて使う、ほうき状ブラシで、ブラシ材（２）がすり減ったり折れたりした時には、ブラシ材（２）全体、もしくは一本から抜き取り交換出来、ブラシ材（２）の出す長さによりブラシ材（２）の硬さも調整でき、パイプ（１）の両側でブラシとして複数の使い方が出来るほうき状ブラシ。
【請求項２】
パイプ（１）の外径全体にゴム状の物で覆うことにより、握り指で押さえた時に露出しているブラシ材（２）全体に、力が伝わりやすく固定しやすくし、掃除する入り口部に傷が付かないようにした請求項１記載のほうき状ブラシ。
【請求項３】
パイプ（１）の先端に付属部品の（８）（９）（１０）を取り付けることが出来る請求項１、２記載のほうき状ブラシ。
【請求項４】
パイプ（１）のブラシ材（２）の出口部分（Ｇ）に角度を付け、もう一方を平たくしラッパ状にすることでブラシ材（２）の引き出す長さで幅広く出せたり狭くも出来る請求項１、２記載のほうき状ブラシ。
【発明の詳細な説明】
【技術分野】
【０００１】  本発明は、入り口が狭く、奥が細く深い場所に届く、ブラシに関するものである。
【背景技術】
【０００２】  サッシのレールその他を掃除するには複数のブラシが必要であり道具がふえ大変であった。【０００３】  従来のブラシはブラシ材の端部を固定して柄を取り付けて使用するが、固定部が大きく入り口の狭い場所に入りずらく、入り口に傷を付けたり奥にブラシ材が届かず洗浄出来ない欠点があった。【０００４】  従来のブラシは、ブラシ材が消耗すると使用できなくなり不経済である。
【先行技術文献】
【特許文献】
【０００５】
【特許文献１】特開  ２０１１−１３９７２４号公報
【特許文献２】特開平０９−２７１４１４号公報
【発明の概要】
【発明が解決しようとする課題】
【０００６】  解決しようとする問題点は、入り口が狭く奥が深い所に届くブラシで、今までブラシ材の長さ、穂先の形状を自由に変えられるブラシが無かった。【０００７】  サッシ硝子戸を閉めた時のかさなり合た所を掃除するには、狭いベランダで重い硝子戸を取り外さないと洗浄出来ないので外す時に硝子を割ったり怪我をすることもあった。レール幅も色々あるのでブラシが複数必要であった。【０００８】ユニットバスの折りたたみドアの通気口の細い中に届くブラシが無かった。【０００９】ブラシ材が消耗すると、使用できなくなり不経済であった。【００１０】  ブラシ材の接地面、穂先の形状、角度、深さに合わせ長さを自由に調整ができ、入り口が狭く奥が深い所に届くブラシが無かった。
【課題を解決するための手段】
【００１１】  本発明は、パイプ材の内径の中にブラシ材がきつくなるくらい入れて、左右どちらかに引き出し、掃除する場所の深さに合わせ長さを調整することが出来る。【００１２】  次にパイプの中央側面の両側を切り取り外径より小さく柔らかいゴム状の物で覆い露出しているブラシ材を握り指で押さえた時に力が伝わり安く固定しやすくした。
尚、パイプ材全体にカバーで保護し傷を付けることなく掃除することが出来る。【００１３】  パイプの途中を切り取りスライド部５を設けブラシ材を固定しても良く、固定の仕方は特に限定しない。【００１４】  ほうき状ブラシは、棒状なので狭い所に入りやすく、ブラシ材の長さが調整でき掃除する場所の材質、汚れに応じてブラシ材をステンレス針金、塩化ビニール合成樹脂、竹、その他と、一本もしくは全体が入れ替えられる。ブラシ材は中央から半分ずつ違う材質でも良く形状、長さ、太さ、材質は限定しない。尚、ブラシ材は竹、針金その他混合でも良い。【００１５】  ブラシ材を引っ込めパイプの端に付属部品の棒８を差し込み棒の先に布を巻き付けると狭い隙間などの拭き掃除に使え、平たい小判形でラッパ状の物１０を付け変えればブラシ材を幅広く出すことができる。
【発明の効果】
【００１６】  ブラシ材は、１本ずつ入れてあるので引き出し、穂先の接地面の角度、穂先の形状、長さが自由に調整でき、ブラシ材の出す長さにより穂先の硬さが変えられる利点がある。【００１７】  本発明は、サッシの硝子戸を閉めた時のかさなり合った所の掃除も、硝子戸を取り外すことなく洗浄でき、サッシコーナー、奥の狭い溝も洗浄することが出来る。図４Ｈから出るブラシ材は幅広く出せるので色々なレール幅に対応もでき作業効率が向上する。【００１８】  また、室内の筒状の通気口フィルター、換気扇、エアコンの狭く奥が深い所にある、ファンの羽など汚れに合ったブラシ材を入れ替え油汚れその他、蛇口の取り付け口の狭い所の水垢等ブラシが入りずらい所などの汚れに対応できる。【００１９】  材料を揃えれば組み立てが簡単で、誰でも組み立てが出来るので作業所などで組み立てることが出来、部品数が少ないので安価で作れる。
【図面の簡単な説明】
【００２０】
【図１】  本発明のほうき状ブラシのパイプ１にブラシ材２を挿入した側面図
【図２】  図１のＡ−Ａ線断面図
【図３】  図２のＢ−Ｂ線断面図
【図４】  ブラシ材２の出口Ｇ部分に角度を付けＨ部分を平たくラッパ状にしたブラシ材２を挿入前のパイプ１の上面図
【図５】  パイプ１の中央部にスライド部５を取り付けた断面図
【図６】  穂先形状部を変えた（ａ）図Ｅが太め、（ｂ）図Ｆが細めの側面図
【図７】  （ａ）図はパイプ１の先端に付属部品の８の７部をパイプ１の６部に差し込んだ側面図、（ｂ）図はブラシ材２がしなり出てくる９の側面図
【図８】  （ａ）図はブラシ材２が広がって出せる１０の側面図、（ｂ）図は（ａ）図の上面図
【発明を実施するための形態】
【００２１】  以下、図面を参照し、本発明の実施形態のブラシを詳細に説明する。
以下に示す実施形態のブラシは、あくまで一例であり、本発明のブラシは、以下に示す実施形態に限定されるものではない。
【００２２】  本実施形態のほうき状ブラシは、入り口が狭く奥が深い場所、サッシコーナー、硝子戸のかさなり合った部分などを外さず簡単に掃除ができ、効率よく安全に作業が出来る。
【実施例１】
【００２３】  図１および図２に示すように本実施形態のパイプ１の内径の中にブラシ材２を一本ずつきつくなるくらい入れ、左右どちらかにブラシ材２を引き出し、穂先の形状、長さを調整することが出来、ブラシ材２の硬さも変えられる、ほうき状ブラシである。【００２４】  パイプ１の材質は、アルミニウム、真鍮、ステンレス、鉄、ポリプロピレン、ポリエチレン、ポリエステル、塩化ビニール等の合成樹脂で内径の中にブラシ材が入れば良く、パイプ１の材質、形状、長さ、太さに特に限定しない。【００２５】  ブラシ材２は、塩化ビニール等の合成樹脂、竹、ステンレス針金、真鍮針金その他でも良く掃除する場所の材質、汚れに応じてブラシ材２を選び入れ変えられる。ブラシ材２を左右違う材質にしても良く、材質、形状、長さ、太さは特に限定しない。
尚，図６のＥ部は少し太く、Ｆ部は先端部を細くし、なおさらしなやかにした。引き出す長さによりブラシ材２の硬さも変えることができ、ブラシとして両側で使える。【００２６】  図３に示す本実施形態のパイプ１の中央付近の側面の両側Ｃ部を切り取りパイプ１にカバー４で覆い保護し、Ｃ部で露出したブラシ材２を握って指で押さえた時にブラシ材２全体に力が伝わりやすく固定しやすくした。カバー４はパイプ１の外径より小さい物が良く材質はポリプロピレン、天然ゴムその他柔らかい材質が好ましい。
【実施例２】    次に、本発明のほうき状ブラシの実施例２について図４を用いて説明する。
なお、パイプ材１、ブラシ材２は上記の組み合わせと同じである。【００２７】  図４に示すように、パイプ１のＧ部に角度を付けた物で掃除する場所、例えばユニットバスの通気口は垂直な下に付いているので、Ｇ部に角度が付いていた方がブラシを物手がドアにぶつからず掃除がしやすい。カバー４で全体が覆われ保護されているので入り口に傷付けずに使える。Ｈ部を平たくラッパ状にすることでブラシ材２の出す長さにより幅広くなったり狭くもなるし、硬さも調整でき  一本のブラシで複数の使い方が出来る。
ブラシ材２の出口の角度、形状に限定されるものではない。
【実施例３】
【００２８】  図５に示すように、パイプ１の途中一部を切り取りブラシ材２を固定するスライド部５を取り付け、突起部Ｄを左右どちらかに移動してブラシ材２を固定しても良く固定する方法は、限定されるものではない。【００２９】  図６に示すように、（ａ）図ブラシ材２の穂先Ｅ側は太く，（ｂ）図Ｆ側は細い、接地面積、接地角度、穂先の形状、長さが自由に変えられ短く出せば硬く、長く出せばＦ側はなおさらしなやかになり、汚れ具合いに合わせ硬さを調整でき、一本のブラシで両側で使え複数の使い方ができる、ほうき状ブラシである。
【実施例４】
【００３０】  図７に示すように、（ａ）図は付属部品８をパイプ１の６部に棒８の７部を差し込み、棒８の先に布を巻けば狭い所の拭き掃除に使える、（ｂ）図９の付属部品を通ることにより、ブラシ材がしなって出てくる。【００３１】  図８の（ａ）図、１０をパイプ１の６に取り付ければ、ブラシ材２を幅広く出せるので色々な幅のサッシ等の掃除に使え、図７（ａ）の８、（ｂ）図の９、付属部品を取り付けて使っても良く、付属部品はこの三種類に限定されるものではない。
【符号の説明】
【００３２】  １    パイプ
２    ブラシ材
１の３  パイプ１のカットした後の残り部
Ｃ    両面の切り取り部でブラシ材２の露出部で押さえ部
４    ポリプロピレン
Ｅ    穂先の形状が太い
Ｆ    穂先の形状が細くなっている
Ｇ    パイプ１の先の曲がり部分
Ｈ    平たくラッパ状にした部分
５    スライド部
Ｄ    スライド部の突起部
１の６  付属部品の差し込み受け部
７    付属部品の差し込み部
８    付属部品の棒
９    ブラシ材がしなり出てくる付属部品
１０  ブラシ材を平たく出せる付属部品
【図１】
2020163087.tif 000003
【図２】
2020163087.tif 000004
【図３】
2020163087.tif 000005
【図４】
2020163087.tif 000006
【図５】
2020163087.tif 000007
【図６】
2020163087.tif 000008
【図７】
2020163087.tif 000009
【図８】
2020163087.tif 000010
【手続補正書】
【提出日】令和1年12月23日(2019.12.23)
【手続補正１】
【補正対象書類名】明細書
【補正対象項目名】全文
【補正方法】変更
【補正の内容】
【発明の詳細な説明】
【技術分野】
【０００１】  本発明は、入り口が狭く、奥が細く深い場所に届き、ブラシ材２の長さを調整することが出来ることに関するものである。
【背景技術】
【０００２】  サッシのレールその他を掃除するには複数のブラシが必要であり道具がふえ大変であった。【０００３】  従来のブラシはブラシ材２の端部を柄に接着し固定して使用するが、固定部が大きく入り口が狭い場所に入らないことが有る。そのうえ、入り口付近に傷を付けたり、奥にブラシ材２が届かず洗浄出来ない欠点があった。【０００４】  従来のブラシは、ブラシ材２が消耗すると使用できなくなるが柄はしっかりしているのに、不経済である。
【先行技術文献】
【特許文献】
【０００５】
【特許文献１】特開  ２０１１−１３９７２４号広報
【特許文献２】特開平  ０９−２７１４１４号広報
【発明の概要】
【発明が解決しようとする課題】
【０００６】  問題点は、入り口が狭く奥が深い所に届くブラシでありブラシ材２の長さ、穂先の形状を自由に変えられたり、平たく幅を変えて出せるブラシが無かった。【０００７】  サッシ引き戸の重なり合った場所を掃除するには、狭いベランダで重い硝子戸を取り外さないと洗浄できないので、外す時に硝子を割ったり怪我をすることもあった。レール幅、構造も複雑になりブラシが複数必要である。【０００８】  ユニットバスの折りたたみドアの通気口の細い中に入れやすく、傷を付けずに奥に届くブラシが無かった。【０００９】  ブラシ材２が消耗すると、使用できなくなり不経済であった。【００１０】  ブラシ材２の接地面の角度、汚れに合ったブラシ材２と入れ替えられ掃除する入り口部を傷つけずに洗浄出来るブラシが無かった。
【課題を解決するための手段】
【００１１】  本発明は、筒状１の中空にブラシ材２を入れて、左右どちらかに移動でき、掃除する場所の形状に穂先と深さに合わせ調整することが出来る。【００１２】  次に筒状１の途中の両面又は片面を切り取り外径より小さく弾力性が有る物で覆い切り取り部から露出しているブラシ材２を把持し押さえた時に、ブラシ材２に力が伝わり安く固定しやすくした。
尚、筒状１にカバーで保護してあるので相手側に傷を付けること無く掃除が出来る。【００１３】筒状１の途中を切り取り固定部５を設け、ブラシ材２がずれることなく作業が出来る。固定の仕方は特に限定しない。【００１４】  ほうき状ブラシは、棒状なので狭い所に入りやすく、ブラシ材２の長さが調整でき掃除する場所の材質、汚れに応じてブラシ材２をステンレス針金、真鍮針金、塩化ビニール合成樹脂、竹その他と、一本もしくは全体が入れ替えることが出来る。ブラシ材２は中央から半分ずつ違う材質でも良く形状、長さ、太さ、材質は限定しない。ブラシ材２は汚れに応じて他の物と混合にしても良い。【００１５】  ブラシ材２を引っ込め筒状１の端に付属部品の図７の棒８を差し込み棒の先に布を巻き付け、狭い隙間などの拭き掃除に使え、平たい小判形でラッパ状の物、図８の１０を付け変えればブラシ材２を幅広く変化させ出すことが出来る。
【発明の効果】
【００１６】  ブラシ材２は、一本ずつ入れてあるのですり減ったり、折れた時には一本又は全体が取り替えることができ、穂先の形状、角度、長さが自由に調整でき、ブラシ材２の出す長さにより穂先の硬さが変えられる利点がある。【００１７】  本発明は、サッシ引き戸を閉めた時の重なり合った場所の掃除も、引き戸を取り外すことなく洗浄でき、サッシコーナー、奥の狭い溝も洗浄することが出来る。図４のＨから出るブラシ材２は幅広く出せるので色々なレール幅に対応でき、固定部を付けるとなおさら作業効率が向上する。【００１８】  室内の壁にある通気口フィルター、台所換気扇のファン、浴室換気扇ファン、エアコン室内機のファンなどの汚れは、それぞれ違うのでブラシ材２を入れ替えて使え、蛇口の取り付け口と壁との狭い隙間の水垢、通常のブラシが入らない浴室の排水口の臭い止めに、溜まる髪の毛等の取り除きと洗浄に対応出来る。【００１９】  材料を揃えれば部品数が少ないので、作業所等で時間をあまりかけずに組み立てが出来る。
【図面の簡単な説明】
【００２０】
【図１】本発明のほうき状ブラシの筒状１にブラシ材２を挿入した側面図
【図２】図１のＡ−Ａ線断面図
【図３】図２のＢ−Ｂ線断面図
【図４】ブラシ材２の出口Ｇ部分に角度を付けＨ部分を平たく潰しラッパ状にし筒状１に固定部５を取り付け、ブラシ材２を挿入した側面図
【図５】筒状１の途中に固定部５を取り付けた断面図
【図６】穂先形状部を変えた（ａ）図Ｅが太めでざらつき有り、（ｂ）図Ｆはなおさら細めでざらつきが有る側面図
【図７】（ａ）図は筒状１の先端に付属部品の８の７部を筒状１の６部に差し込んだ側面図、（ｂ）図はブラシ材２が角度を変えて出てくる９の側面図
【図８】（ａ）図はブラシ材２が広がって出てくる１０の側面図、（ｂ）図は（ａ）図の上面図
【発明を実施するための形態】
【００２１】  以下、図面を参照し、本発明の実施形態のブラシを詳細に説明する。
以下に示す実施形態のブラシはあくまで一例であり、以下に示す実施形態に限定されるものではない。
【００２２】  本実施形態のほうき状ブラシは、入り口が狭く奥が深い場所、サッシコーナー、硝子引き戸の重なり合った部分を外さず簡単に洗浄でき、ユニットバス排水口臭い止めの中に溜まる髪の毛などもからみ取れ、効率よく安全に作業が出来る。
【実施例１】
【００２３】  図１および図２に示すように本実施形態の筒状１の中空の中にブラシ材２を一本ずつ入れ、左右どちらかにブラシ材２を移動し引き出す。穂先の形状、長さを調整することが出来、ブラシ材２の引き出す長さにより穂先の硬さも変えられ、両側でブラシとして使える、ほうき状ブラシである。【００２４】筒状１の材質は、アルミニウム、真鍮、ステンレス、鉄、ポリプロピレン、ポリエチレン、ポリエステル、塩化ビニール合成樹脂等の中空の中にブラシ材２を入れる。筒状１の材質、形状、長さ、太さに限定しない。【００２５】  ブラシ材２の材質は、塩化ビニール合成樹脂等、天然素材、真鍮針金、ステンレス針金、その他でも良く掃除する場所の材質、汚れに応じてブラシ材２を選び入れ替えることが出来る。ブラシ材２を左右違う材質にしても良く、材質、形状、長さ、太さは特に限定しない。
尚、図６のＥ部はＦ部より太くざらついている。Ｆ部の先端はなおさら細くしてありざらつき、なおさらしなやかになる。引き出す長さによりブラシ材２の硬さも変えることができ、ブラシとして両側で使える。【００２６】  図３に示す本実施形態の筒状１の途中の両面又は片面Ｃ部を切り取り筒状１にカバー４で覆い保護し、Ｃ部で露出したブラシ材２を把持し押さえた時にブラシ材２全体に力が伝わり安く固定しやすくした。カバー４は筒状１の外径より小さい物が良く材質はポリプロピレン、天然ゴムその他弾力性が有る材質が好ましい。
【実施例２】
【００２７】  次に、本発明のほうき状ブラシの実施例２について図４を用いて説明する。
尚、筒状１、ブラシ材２は上記の組み合わせと同じである。【００２８】  図４に示すように、筒状１のＧ部に角度を付けたほうが掃除しやすくなることも有る。例えばユニットバスの折れ戸の通気口は垂直な薄い所に付いているので、ブラシ材２が入りやすく、持つ手がドア側にぶつからず掃除がしやすい。次に、筒状１の途中を切り取りブラシ材２の固定部５を設け、カバー４で保護されている。
Ｈ部を平たくラッパ状に潰すことでブラシ材２の引き出す長さにより幅広くなったり、狭くもなる。ブラシ材２の出口の角度、形状に限定されるものではない。
【実施例３】
【００２９】  図５に示すように、筒状１の途中を切り取りブラシ材２の固定部５を設け、突起部Ｄを左右どちらかに移動し、ブラシ材２を固定することによりブラシ材２がずれることなく、掃除が出来る。固定する方法は限定されるものではない。【００３０】  図６に示すように、（ａ）図ブラシ材２の穂先Ｅ部はＦ部より太くざらついている。（ｂ）図Ｆ部はさらに細くしてありざらついている。接地角度、穂先の形状、長さが自由に変えられ短く出せば硬く、長く出せばＦ部はなおさらしなやかになり、汚れに合わせ硬さが調整でき髪の毛等もからみ付き取れる、ほうき状ブラシである。
【実施例４】
【００３１】  図７に示すように、（ａ）図は付属部品８を筒状１の６部に棒８の７部を差し込み、棒８の先に布を巻けば狭い所の拭き掃除に使え、（ｂ）図９の付属部品を通ることにより、ブラシ材２が角度を変え出てくる。【００３２】  図８の（ａ）図、１０を筒状１の６に取り付ければ、ブラシ材２を幅広く出せ色々な幅のサッシ等の掃除に使え、図７（ａ）の８、（ｂ）図の９、付属部品を図１の先端に取り付けて使える。付属部品はこの三種類に限定されるものではない。
【符号の説明】
【００３３】  １    筒
２    ブラシ材
１の３  筒状１のカットした後の残り部
Ｃ    両面又は片面の切り取り部でブラシ材２の露出部で押さえ部
４    弾力性が有り筒の保護材
Ｅ    穂先の形状が太くざらつき有り
Ｆ    穂先の形状が細くざらつき有り
Ｇ    筒状１の先の曲がり部分
Ｈ    平たくラッパ状に潰した部分
５    スライド部
Ｄ    スライド部の突起部
１の６  付属部品の差し込み受け部
７    付属部品の差し込み部
８    付属部品の棒
９    ブラシ材２が角度を変えて出てくる付属部品
１０    ブラシ材２を平たく出せる付属部品
【手続補正２】
【補正対象書類名】特許請求の範囲
【補正対象項目名】全文
【補正方法】変更
【補正の内容】
【特許請求の範囲】
【請求項１】
筒状（１）の途中を切り取り中空にブラシ材（２）を入れ、中空内でブラシ材（２）が左右に移動でき、切り取り部からブラシ材（２）が露出している部分を把持することで固定でき、ブラシ材（２）は、全体もしくは一本から入れ替えることが出来、両側でブラシとして使用出来るほうき状ブラシ。
【請求項２】
筒状（１）の外径に弾力性が有る（４）で、覆って有る請求項１、記載のほうき状ブラシ。
【請求項３】
筒状（１）の先端に付属部品の棒（８）、ブラシ材（２）が角度を変え出てくる物（９）、ブラシ材（２）が平たく広がり出せる物（１０）が取り付けることが出来る請求項１、請求項２記載のほうき状ブラシ。
【請求項４】
筒状（１）の途中（Ｇ）から角度を付け、もう一方（Ｈ）を平たく潰しラッパ状にし、途中にブラシ材（２）の固定部を設けた請求項１  、請求項２記載のほうき状ブラシ。
【手続補正３】
【補正対象書類名】図面
【補正対象項目名】全図
【補正方法】変更
【補正の内容】
【図１】
2020163087.tif 000011
【図２】
2020163087.tif 000012
【図３】
2020163087.tif 000013
【図４】
2020163087.tif 000014
【図５】
2020163087.tif 000015
【図６】
2020163087.tif 000016
【図７】
2020163087.tif 000017
【図８】
2020163087.tif 000018